(57)【要約】【課題】印刷履歴から印刷対象の画像を選択した後、印刷の種類を選択することができるようにして、ユーザの操作性を高めることができる仕組みを提供する。【解決手段】印刷制御装置は、プリンタに出力した画像データを、背景画像と前記背景画像に付加される付加画像とを組にした印刷履歴情報として記憶装置に記憶する記憶手段と、前記印刷履歴情報をユーザが印刷対象の画像を選択するための複数の画像１０６として表示部に一覧表示するとともに、複数の画像１０６から選択した印刷対象の画像１０７に対してユーザが印刷の種類を選択するための選択画面１０１〜１０３を前記表示部に表示する表示手段と、実行ボタン１０４の操作により、前記表示手段によって前記表示部に表示されている画面を選択画面１０１〜１０３で選択された印刷の種類に応じた操作画面に変更する変更手段とを備える。【選択図】図１
2012058905.tif 000002
【特許請求の範囲】
【請求項１】
プリンタに印刷させるために出力した画像の印刷設定に関する印刷履歴情報を記憶装置に記憶するための記憶手段と、
前記印刷履歴情報に基づく印刷を行う場合に、前記印刷履歴の使用方法を選択するための選択手段と、を備え、
前記記憶手段は、背景画像と、当該背景画像ともに印刷される付加画像とを特定するための情報を含む印刷履歴情報を前記記憶装置に記憶する、ことを特徴とする印刷制御装置。
【請求項２】
前記選択手段は、前記印刷履歴情報で特定される背景画像および付加画像を用いて画像を印刷する焼き増し印刷、または、前記印刷履歴情報で特定される背景画像および付加画像のうちのいずれかの画像を変更して印刷する流用印刷を選択可能であることを特徴とする請求項１に記載の印刷制御装置。
【請求項３】
印刷対象の画像を選択するための選択画面を表示手段に表示させる表示制御手段を有し、
前記表示制御手段は、前記印刷履歴情報に基づいて背景画像に付加画像を付加した画像を前記選択画面に表示させることを特徴とする請求項１または２に記載の印刷制御装置。
【請求項４】
前記表示制御手段は、同一の前記背景画像を含む画像のみを一覧表示するか否かをユーザに選択させるための画面を前記表示手段に表示させることを特徴とする請求項３に記載の印刷制御装置。
【請求項５】
前記表示制御手段は、同一の前記付加画像を含む画像のみを一覧表示するか否かをユーザに選択させるための画面を前記表示手段に表示させることを特徴とする請求項３または４に記載の印刷制御装置。
【請求項６】
前記流用印刷が選択された場合は、付加画像を変更せずに、当該付加画像とともに出力する背景画像を変更可能であることを特徴とする請求項３ないし５のいずれか１項に記載の印刷制御装置。
【請求項７】
前記印刷履歴情報には、１つの画像データに対して付加した複数の付加画像に関する情報が含まれており、前記流用印刷が選択された場合は、前記複数の付加画像のうち変更する付加画像または変更しない付加画像を選択する手段を有することを特徴とする請求項３ないし６のいずれか１項に記載の印刷制御装置。
【請求項８】
プリンタに印刷させるために出力した画像の印刷設定に関する印刷履歴情報を記憶装置に記憶するための記憶ステップと、
前記印刷履歴情報に基づく印刷を行う場合に、前記印刷履歴の使用方法を選択するための選択ステップと、を備え、
前記記憶ステップは、背景画像と、当該背景画像ともに印刷される付加画像とを特定するための情報を含む印刷履歴情報を前記記憶装置に記憶する、ことを特徴とする印刷制御方法。
【請求項９】
プリンタに印刷させるために出力した画像の印刷設定に関する印刷履歴情報を記憶装置に記憶するための記憶ステップと、
前記印刷履歴情報に基づく印刷を行う場合に、前記印刷履歴の使用方法を選択するための選択ステップと、をコンピュータに実行させるプログラムであって、
前記記憶ステップは、背景画像と、当該背景画像ともに印刷される付加画像とを特定するための情報を含む印刷履歴情報を前記記憶装置に記憶する、ことを特徴とするプログラム。
【請求項１０】
請求項９に記載のプログラムを記憶した、
ことを特徴とするコンピュータで読み取り可能な記憶媒体。
【発明の詳細な説明】
【技術分野】
【０００１】
本発明は、撮影画像等の印刷画像を参照して、例えば焼き増し印刷や流用印刷等の異なる種類の印刷を行う印刷制御装置、印刷制御方法、プログラム、及び記憶媒体に関する。
【背景技術】
【０００２】
従来、撮影画像等の印刷画像を参照して、印刷画像と同一の焼き増し印刷を行う印刷制御装置が提案されている（特許文献１）。
【０００３】
焼き増し印刷を行うには、例えば、まず、ユーザが表示部に表示された印刷履歴画面（ＵＩ）から所望の画像を選択すると共に、印刷部数を指定し、次に、選択した画像を指定した印刷部数だけ印刷する。
【０００４】
また、撮影画像等の印刷画像を参照して、一部の印刷コンテンツのみを差し替えて流用印刷を行う印刷制御装置が提案されている（特許文献２）。
【０００５】
流用印刷を行うには、例えば、まず、ユーザが表示部に表示された印刷履歴画面（ＵＩ）から所望の画像を選択し、次に、選択した画像の履歴に対して必要な変更を加えた後、印刷する。
【先行技術文献】
【特許文献】
【０００６】
【特許文献１】特開２００３−０９８５９０号公報
【特許文献２】特開２００７−２０８４４０号公報
【発明の概要】
【発明が解決しようとする課題】
【０００７】
ところで、上述した焼き増し印刷及び流用印刷を一台の印刷制御装置で選択して行うことができれば、印刷履歴の管理や印刷処理の共通化により、開発・運用のコスト等の面で利点がある。この場合、まず、ユーザは表示部に表示された選択画面（ＵＩ）で焼き増し印刷か流用印刷かを選択する。
【０００８】
そして、焼き増し印刷を選択した場合は、上述したように、表示部に表示された印刷履歴画面から所望の画像を選択すると共に、印刷部数を指定し、次に、選択した画像を指定した印刷部数だけ印刷する。
【０００９】
一方、流用印刷を選んだ場合は、表示部に表示された印刷履歴画面（ＵＩ）から所望の画像を選択し、次に、選択した画像の履歴に対して必要な変更を加えた後、印刷する。
【００１０】
しかし、このような操作手順において、表示部に表示された選択画面で焼き増し印刷を選択した後、印刷履歴画面から所望の画像を選択した時点で気が変わって流用印刷を行なうことにした場合、ユーザは、印刷履歴画面から所望の画像を２回選択する必要がある。
【００１１】
すなわち、表示部に表示された選択画面で焼き増し印刷を選択して印刷履歴画面から所望の画像を選択した後、選択した画像を破棄し、再度、表示部に表示された選択画面で流用印刷を選択した後、印刷履歴画面から同じ画像を選択する必要がある。このような印刷の種類の変更は、しばしば発生することが考えられ、ユーザに面倒な操作を強いることになる。
【００１２】
そこで、本発明は、印刷履歴から印刷対象の画像を選択した後、印刷の種類を選択することができるようにして、ユーザの操作性を高めることができる仕組みを提供することを目的とする。
【課題を解決するための手段】
【００１３】
上記目的を達成するために、本発明の印刷制御装置は、プリンタに印刷させるために出力した画像の印刷設定に関する印刷履歴情報を記憶装置に記憶するための記憶手段と、前記印刷履歴情報に基づく印刷を行う場合に、前記印刷履歴の使用方法を選択するための選択手段と、を備え、前記記憶手段は、背景画像と、当該背景画像ともに印刷される付加画像とを特定するための情報を含む印刷履歴情報を前記記憶装置に記憶する、ことを特徴とする。
【発明の効果】
【００１４】
本発明によれば、印刷履歴から印刷対象の画像を選択した後、印刷の種類を選択するので、印刷履歴から印刷対象の画像を選択した後、印刷の種類を変更する場合に、再度印刷履歴から同一の画像を選択する操作が不要になる。これにより、ユーザの操作性を高めることができる。
【図面の簡単な説明】
【００１５】
【図１】本発明の実施形態の一例である印刷制御装置を含むシステム構成例を示す斜視図である。
【図２】プリンタによりシートに印刷出力された画像データの一例を示す図である。
【図３】印刷履歴記憶装置に保存されている印刷履歴情報の一例を示す図である。
【図４】印刷制御装置の動作例について説明するためのフローチャート図である。
【図５】図４のステップＳ５０１で表示部に表示される印刷開始画面の一例示す図である。
【図６】図５の印刷開始画面でグループ別表示タブを選択した場合の印刷履歴表示領域の表示例を示す図である。
【図７】図５の印刷開始画面で背景限定チェックボックスをチェックした場合の印刷履歴表示領域の表示例を示す図である。
【図８】図５の印刷開始画面で新規印刷ボタンをクリックした場合に図４のステップＳ５０３で表示部に表示される背景選択画面の一例を示す図である。
【図９】図４のステップＳ５０５で表示部に表示される印刷編集画面の一例を示す図である。
【図１０】図９の印刷編集画面において、ロック状態の項目であるテキストを選んだ場合の状態を示す図である。
【図１１】図９の印刷編集画面で印刷開始ボタンをクリックした場合に、図４のステップＳ５０６において、印刷履歴記憶装置に印刷履歴情報を記録する処理を説明するためのフローチャート図である。
【図１２】図５の印刷開始画面で焼き増し印刷ボタンを選択して実行ボタンをクリックした場合に、図４のステップＳ５０４で表示部に表示される焼き増し設定画面の一例を示す図である。
【発明を実施するための形態】
【００１６】
以下、本発明の実施形態の一例を図面を参照して説明する。
【００１７】
図１は、本発明の実施形態の一例である印刷制御装置を含むシステム構成例を示す斜視図である。
【００１８】
図１に示すように、本実施形態の印刷制御装置２０１は、インターネット等のネットワーク２０９に接続され、印刷制御装置２０１には、プリンタ２０２及びカードリーダ２０６が通信可能に接続されている。
【００１９】
印刷制御装置２０１は、パーソナルコンピュータ等で構成され、印刷履歴記憶装置２０３、画像データ記憶装置２０４、及びクリップアートデータ記憶装置２０５を有する。
【００２０】
画像データ記憶装置２０４は、デジタルカメラ２０８等で撮影した画像データを保存する。具体的には、画像データが保存されたメモリーカード２０７をカードリーダ２０６を介して印刷制御装置２０１に接続すると、印刷制御装置２０１は、メモリーカード２０７に保存されている画像データを読み出し、画像データ記憶装置２０４に保存する。画像データ記憶装置２０４は、画像データをファイルとして保存しておく記憶装置であり、画像データは、画像データ記憶装置２０４内のファイル名（パス）で識別される。
【００２１】
クリップアートデータ記憶装置２０５は、印刷制御装置２０１がネットワーク２０９を通じて取得したクリップアートのデータファイルを保存する。クリップアートデータ記憶装置２０５は、クリップアートデータをファイルとして保存する装置であり、クリップアートデータは、クリップアートデータ記憶装置２０５内のファイル名（パス）で識別される。
【００２２】
印刷履歴記憶装置２０３は、印刷制御装置２０１の制御によりプリンタ２０２に画像データを出力した際の印刷設定に関する印刷履歴情報を保存する。印刷履歴情報には、背景画像と、当該背景画像とともに印刷される後述する付加画像とを特定するための情報が含まれる。
【００２３】
図２に、プリンタ２０２によりシートに印刷出力された画像データの一例を示す。画像データには、背景画像３０１にテキスト３０２、テキスト３０３、及びクリップアート３０４が重ねて出力されている。この例では、背景画像に２つのテキスト、１つのクリップアートが含まれるが、１つの背景画像に対するテキスト及びクリップアートの数は限定されない。テキスト３０２、テキスト３０３、及びクリップアート３０４は、本発明の付加画像の一例に相当する。
【００２４】
図３は、印刷履歴記憶装置２０３に保存されている印刷履歴情報の一例を示す図である。印刷履歴情報は、印刷制御装置２０１がプリンタ２０２に画像データを出力するごとに、印刷履歴記憶装置２０３に１組ずつ記録される。１組の印刷履歴情報には、履歴番号レコード４０１、初回印刷日時レコード４０２、背景画像レコード４０３、テキストレコード４０４、クリップアートレコード４０５、及び流用元印刷番号レコード４０６が存在する。
【００２５】
履歴番号レコード４０１及び初回印刷日時レコード４０２は、プリンタ２０２で印刷を実行した際に自動的に作成され、それぞれ印刷履歴の連番及び印刷日時を記憶する。
【００２６】
背景画像レコード４０３は、プリンタ２０２で出力した画像データの背景画像の属性、例えば、背景画像データの画像データ記憶装置２０４内でのパスや、画像データの一部を切り出して背景画像として使用した場合の切り出し領域情報を記憶する。また、背景画像レコード４０３は、この印刷履歴を流用してプリンタ２０２で再印刷を行う場合に、背景画像を変更することを許可するかどうかを示すロック属性も記憶する。
【００２７】
テキストレコード４０４は、プリンタ２０２で出力した画像データに含まれるテキストの属性、例えば、テキストの文字列情報、フォント情報、フォントサイズ情報や、テキストを表示する領域を示す情報を記憶する。また、テキストレコード４０４は、この印刷履歴を流用してプリンタ２０２で再印刷を行う場合に、該当するテキストの属性を変更することを許可するかどうかを示すロック属性も記憶する。プリンタ２０２で出力した画像データには、複数のテキストを含むことが可能であるが、その場合、テキストレコード４０４には、複数のテキストの属性が含まれることになる。プリンタ２０２で出力した画像データにテキストを含まない場合には、テキストレコード４０４に印刷履歴情報は記憶されない。
【００２８】
クリップアートレコード４０５は、プリンタ２０２で出力した画像データに含まれるクリップアートの属性、例えば、クリップアートのクリップアートデータ記憶装置２０５内でのパスや、クリップアートを表示する領域を示す情報を記憶する。また、クリップアートレコード４０５は、この印刷履歴を流用してプリンタ２０２で再印刷を行う場合に、該当するクリップアートの属性を変更することを許可するかどうかを示すロック属性も記憶する。
【００２９】
プリンタ２０２で出力した画像データには、複数のクリップアートを含むことが可能であるが、その場合、クリップアートレコード４０５には、複数のクリップアートの属性が含まれることになる。また、プリンタ２０２で出力した画像データにクリップアートを含まない場合には、クリップアートレコード４０５に印刷履歴情報は記憶されない。
【００３０】
流用元印刷番号レコード４０６は、印刷画像を流用してプリンタ２０２で印刷を行った場合にのみ、流用元となった印刷画像の履歴番号レコード４０１の値を記憶する。印刷画像を利用せずにプリンタ２０２で印刷を行った場合には、流用元印刷番号レコード４０６に印刷履歴情報は記憶されない。
【００３１】
次に、図４を参照して、本実施形態の印刷制御装置２０１の動作例について説明する。図４での各処理は、印刷制御装置２０１のＲＯＭやＨＤＤ等に記憶されたプログラムがＲＡＭにロードされて、ＣＰＵにより実行される。
【００３２】
ステップＳ５０１では、ＣＰＵは、ＬＣＤディスプレイ等の表示部に印刷開始画面を表示する表示制御を行い、ステップＳ５０２に進む。
【００３３】
この印刷開始画面では、印刷対象の画像（印刷画像）を選択した後、新規印刷、印刷画像を選択後編集して再印刷（流用印刷）、印刷画像を選択後焼き増し印刷の三通りから印刷の種類を選択可能である。なお、印刷開始画面の詳細については、図５〜図７で後述する。
【００３４】
ステップＳ５０２では、ＣＰＵは、ステップＳ５０１で新規印刷が選択された場合は、ステップＳ５０３に進み、印刷画像を選択後編集して再印刷（流用印刷）が選択された場合は、ステップＳ５０５に進む。また、ＣＰＵは、ステップＳ５０１で印刷画像を選択後焼き増し印刷が選択された場合は、ステップＳ５０４に進む。
【００３５】
ステップＳ５０３では、ＣＰＵは、新規印刷の際に使用する背景画像を選択する背景選択画面を表示部に表示した後、背景画像が選択されると、ステップＳ５０５に進む。なお、背景選択画面の詳細については、図８で後述する。
【００３６】
ステップＳ５０５では、ＣＰＵは、ステップＳ５０３で選択された背景画像又はステップＳ５０２で選択された印刷画像を基に表示部に印刷編集画面を表示し、ステップＳ５０６に進む。
【００３７】
この印刷編集画面では、背景画像、テキスト、クリップアートの変更、追加などの処理が行える。そして、ＣＰＵは、印刷編集画面でユーザが印刷開始ボタン等を操作して印刷の実行が指示されると、ステップＳ５０６に進む。なお、印刷編集画面の詳細については、図９及び図１０で後述する。
【００３８】
ステップＳ５０４では、ＣＰＵは、表示部に焼き増し設定画面を表示し、焼き増し設定画面でユーザが所定の設定操作をした後、印刷開始ボタン等を操作して印刷の実行が指示されると、ステップＳ５０７の印刷処理に進む。なお、焼き増し設定画面については、図１２で後述する。
【００３９】
ステップＳ５０６では、ＣＰＵは、印刷履歴記憶装置２０３に印刷履歴情報を記録し、ステップＳ５０７の印刷処理に進む。なお、印刷履歴情報の記録処理については、図１１で詳述する。
【００４０】
ステップＳ５０７では、ＣＰＵは、これまでの処理の内容で確定した印刷内容に従い、プリンタ２０２に対して印刷指示を行い、処理を終了する。
【００４１】
図５は、図４のステップＳ５０１で表示部に表示される印刷開始画面の一例示す図である。
【００４２】
図５において、印刷開始画面には、新規印刷ボタン１０１、焼き増し印刷ボタン１０２及び流用印刷ボタン１０３のいずれかのボタンをユーザが選択するための選択画面が表示される。
【００４３】
そして、ユーザが選択画面でいずれかのボタンを選択した後、実行ボタン１０４をクリックすることで、選択した印刷の種類に応じた操作画面に遷移する。また、キャンセルボタン１０５をクリックすると、印刷を行わずに処理を終了する。
【００４４】
なお、図４のステップＳ５０１の「新規印刷」は、新規印刷ボタン１０１、「印刷画像を選択後編集して再印刷」は、流用印刷ボタン１０３、「印刷画像を選択後焼き増し印刷」は、焼き増し印刷ボタン１０２にそれぞれ対応する。
【００４５】
また、印刷開始画面には、印刷履歴表示領域１０６が表示され、印刷履歴表示領域１０６には、以前の印刷画像が縮小画像（サムネイル）形式で一覧表示される。印刷履歴表示領域１０６で選択したサムネイルは、印刷履歴プレビュー領域１０７に詳細な情報とともに表示される。
【００４６】
更に、印刷履歴表示領域１０６の表示形式は、時刻順表示タブ１０８及びグループ別表示タブ１０９のいずれかを選択することで、それぞれ印刷時刻順の表示、流用後の印刷画像を流用元の印刷画像の子として表示するツリー表示のいずれかに切り替えられる。図５では、時刻順表示タブ１０８が選択されているため、印刷履歴表示領域１０６には、印刷画像が時刻順に並べられて一覧表示される。
【００４７】
また、印刷開始画面には、背景限定チェックボックス１１０及びクリップアート限定チェックボックス１１１が表示される。いずれかのボックスをチェックすることで、印刷履歴表示領域１０６の表示を、それぞれ選択された印刷画像と同じ背景画像を用いた印刷画像のみ、又は選択された印刷画像と同じクリップアートを用いた印刷画像のみに限定することができる。
【００４８】
図６は、図５の印刷開始画面でグループ別表示タブ１０９を選択した場合の印刷履歴表示領域１０６の表示例を示す図である。
【００４９】
図５の印刷開始画面でグループ別表示タブ１０９を選択すると、印刷履歴表示領域１０６には、図６に示すように、流用後の印刷画像が流用元の印刷画像の子としてツリー表示される。図６では、印刷画像６０１を選択して流用印刷を行った画像が印刷画像６０２であり、ツリー内で印刷画像６０２は、印刷画像６０１の子として表示される。
【００５０】
同様に、同じ印刷画像６０１を流用して印刷を行った印刷画像６０３もツリー内で印刷画像６０１の子として表示される。また、印刷画像６０４は、印刷画像６０１を流用して印刷を行っていないため、ツリー上では印刷画像６０１と親子関係になく、並列の位置に表示されている。
【００５１】
図７は、図５の印刷開始画面で背景限定チェックボックス１１０をチェックした場合の印刷履歴表示領域１０６の表示例を示す図である。
【００５２】
図７では、印刷画像７０１を選択した状態で背景限定チェックボックス１１０がチェックされているため、表示されている印刷画像７０２，７０３は、いずれも同じ背景画像が設定されている。図５の印刷開始画面の印刷履歴表示領域１０６に表示されている印刷画像であっても、印刷画像７０１と異なる背景画像が設定されているものについては表示されない。
【００５３】
なお、図７では、背景限定チェックボックス１１０をチェックした場合を例示したが、クリップアート限定チェックボックス１１１をチェックした場合には、選択した印刷画像で使われているクリップアートと同じものを使用している印刷画像のみが表示される。
【００５４】
ここで、ユーザは、印刷履歴表示領域１０６で印刷対象の画像を選択した後、新規印刷ボタン１０１、焼き増し印刷ボタン１０２及び流用印刷ボタン１０３のいずれかのボタンを選択して、実行ボタン１０４をクリックする。これにより、印刷開始画面が印刷の種類に応じた操作画面に変更される。
【００５５】
図８は、ユーザが印刷履歴表示領域１０６で印刷対象の画像を選択した後、新規印刷ボタン１０１をクリックした場合に図４のステップＳ５０３で表示部に表示される背景選択画面の一例を示す図である。
【００５６】
図８に示すように、背景選択画面には、画像一覧表示領域８０１、選択ボタン８０２、及びキャンセルボタン８０３が表示される。画像一覧表示領域８０１には、画像データ記憶装置２０４に記憶されているファイル一覧が表示される。ここで、画像一覧表示領域８０１から任意の一ファイルを選択した後、選択ボタン８０２をクリックすると、選択した画像が以降の処理で使用され、キャンセルボタン８０３をクリックすると、図５の印刷開始画面に戻る。
【００５７】
図９は、図４のステップＳ５０５で表示部に表示される印刷編集画面の一例を示す図である。流用印刷ボタン１０３を選択して実行ボタン１０４をクリックした場合、又は新規印刷ボタン１０１をクリックして図８の背景選択画面で任意の画像を選んだ場合に表示部に表示される。
【００５８】
図９に示すように、印刷編集画面には、編集領域９１０、テキスト属性編集領域９２０、クリップアート属性編集領域９３０、背景画像編集領域９４０、印刷開始ボタン９５０、及びキャンセルボタン９６０が表示される。
【００５９】
編集領域９１０には、印刷画像のプレビュー、および編集を行うためのコントロールが表示される。編集領域９１０の背景には、背景画像９１１が表示され、背景画像９１１の右上には、背景画像が変更可能か否かを示すロックアイコン９１２が表示される。ロックアイコン９１２は、クリックするごとにロック状態／非ロック状態が切り替わり、現在どちらの状態にあるかを示している。
【００６０】
また、編集領域９１０には、背景画像９１１に対して追加されているテキスト９１６，９１７、及びクリップアート９１４が表示されている。テキスト９１６，９１７、及びクリップアート９１４の右上には、それぞれがロック状態か非ロック状態かを切り替えるためのロックアイコン９１５，９１８，９１３が表示される。このロックアイコン９１５，９１８，９１３も、ロックアイコン９１２と同様に、クリックすることでロック状態／非ロック状態を切り替えることができる。
【００６１】
また、テキスト９１６，９１７、及びクリップアート９１４の周囲には、矩形が表示され、矩形上のサイズ変更用ノブをドラッグすることで、テキスト表示領域のサイズ、クリップアートのサイズを変更できる。ただし、ロック状態のものに対してはサイズ変更用ノブが表示されないため、テキスト表示領域のサイズ、クリップアートのサイズサイズの変更はできない。
【００６２】
テキスト属性編集領域９２０には、新規テキスト追加ボタン９２１が表示される。新規テキスト追加ボタン９２１をクリックすると、編集領域９１０に、既定の文字列を持ったテキストを新規に追加できる。また、テキスト属性編集領域９２０のテキスト編集領域９２２、フォント種類設定領域９２３、フォントサイズ設定領域９２４、テキスト削除ボタン９２５は、その時点で編集領域９１０で選択されているテキストに対する変更を行うためのものである。
【００６３】
図９では、テキスト９１７が選択された場合の例を示している。テキスト編集領域９２２には、選択されたテキスト９１７の文字列が表示され、また、ユーザがキーボード等を用いて文字列を入力することで、テキスト９１７の文字列を変更することが可能である。フォント種類設定領域９２３、及びフォントサイズ設定領域９２４は、選択されたテキスト９１７をプリンタ２０２で印刷する際に使用するフォントの種類、サイズを表示、変更できる。また、テキスト削除ボタン９２５をクリックすることで、テキスト９１７を削除することができる。
【００６４】
クリップアート属性編集領域９３０には、新規クリップアート追加ボタン９３１が表示される。新規クリップアート追加ボタン９３１をクリックすると、クリップアートデータ記憶装置２０５に記憶されたファイルを選択するダイアログが表示され、ファイルを選択すると、選択したファイルのクリップアートが編集領域９１０に追加される。また、クリップアート属性編集領域９３０のクリップアートデータ名表示領域９３２、クリップアート変更ボタン９３３、及びクリップアート削除ボタン９３４は、その時点で編集領域９１０で選択されているクリップアートに対する変更を行うためのものである。
【００６５】
図９では、クリップアート９１４が選択された場合の例を示している。クリップアート変更ボタン９３３をクリックすると、クリップアートデータ記憶装置２０５に記憶されたファイルを選択するダイアログが表示され、ファイルを選択すると、そのクリップアートがクリップアート９１４と置き換わって表示される。また、クリップアートデータ名表示領域９３２には、その時点で選択されているクリップアートの、クリップアートデータ記憶装置２０５でのファイル名が表示される。クリップアート削除ボタン９３４をクリックすることで、クリップアート９１４を削除することもできる。
【００６６】
背景画像編集領域９４０には、背景画像データ名表示領域９４１、及び背景画像データ変更ボタン９４２が表示される。背景画像データ変更ボタン９４２をクリックすると、画像データ記憶装置２０４内のファイルを選択する、図８と同様の背景選択画面が表示され、ファイルを選択すると、編集領域９１０の背景画像が選択したファイルの画像データに置き換わる。
【００６７】
また、背景画像データ名表示領域９４１には、その時点で選択されている背景画像の、画像データ記憶装置２０４内でのファイル名が表示される。背景画像の縦横比と印刷領域の縦横比とが異なっている場合には、印刷領域全体に背景画像が余白なしで表示されるように自動的にトリミングが行われる。
【００６８】
印刷開始ボタン９５０をクリックすると、編集領域９１０の内容をプリンタ２０２に出力したのち、印刷時の設定を印刷履歴記憶装置２０３に印刷履歴情報として記録する。キャンセルボタン９６０をクリックすると、印刷編集画面での処理を行うことなく、処理を終了し、図５の印刷開始画面又は図８の背景選択画面に戻る。なお、印刷時の設定を印刷履歴記憶装置２０３に印刷履歴情報として記録する処理については、図４のステップＳ５０６と同様に、図１１で後述する。
【００６９】
図１０は、図９の印刷編集画面において、ロック状態の項目であるテキスト９１６を選んだ場合の状態を示す図である。
【００７０】
図９と比較すると、テキスト属性編集領域１０２０において、編集を行うためのコントロールが編集を行えない無効状態になっている。例えば、図９におけるテキスト編集領域９２２は、図１０においてはテキスト表示領域１０２２として表示される。同様に、フォント種類設定領域９２３は、フォント種類表示領域１０２３として表示され、フォントサイズ設定領域９２４は、フォントサイズ表示領域１０２４として表示されて、変更が行えないようになっている。また、図９のテキスト削除ボタン９２５は、図１０では表示されない。
【００７１】
図１０では、テキスト属性編集領域におけるロック状態の表示を例としたが、同様に、クリップアート属性編集領域及び背景画像編集領域においても、ロック状態であるか、非ロック状態であるかによってそれぞれの領域の表示内容が切り替わることになる。
【００７２】
図１１は、図９の印刷編集画面で印刷開始ボタン９５０をクリックした場合に、図４のステップＳ５０６において、印刷履歴記憶装置２０３に印刷履歴情報を記録する処理を説明するためのフローチャート図である。
【００７３】
ステップＳ１１０１では、ＣＰＵは、図９の印刷編集画面で設定された背景画像の情報を取得し、ステップＳ１１０２に進む。具体的には、ＣＰＵは、背景画像のファイル名、及び印刷領域と背景画像との縦横比が異なっていた場合には、自動的にトリミングが行われているため、トリミング領域の情報を取得する。また、ＣＰＵは、背景画像がロックされているかどうかの情報も取得する。
【００７４】
ステップＳ１１０２で、ＣＰＵは、印刷履歴記憶装置２０３に新しい記録領域を作成して、ステップＳ１１０１で取得した背景画像情報を記録し、ステップＳ１１０３に進む。
【００７５】
ステップＳ１１０３では、ＣＰＵは、テキストの印刷履歴の記録を行うため、印刷編集画面内にテキストが存在するか否かを判別し、存在しない場合は、ステップＳ１１０７に進み、存在する場合は、ステップＳ１１０４に進む。
【００７６】
ステップＳ１１０４では、ＣＰＵは、最初のテキストの情報を取得し、ステップＳ１１０５に進む。具体的には、ＣＰＵは、テキストの文字列、フォント種類、フォントサイズ、外接矩形領域のサイズを取得する。また、ＣＰＵは、テキストがロックされているかどうかの情報も取得する。
【００７７】
ステップＳ１１０５で、ＣＰＵは、ステップＳ１１０２で印刷履歴記憶装置２０３に作成した記録領域にステップＳ１１０４で取得したテキスト情報を記録し、ステップＳ１１０６に進む。
【００７８】
ステップＳ１１０６では、ＣＰＵは、印刷編集画面内の全てのテキストに対してステップＳ１１０４及びステップＳ１１０５の処理が行われたか否かを確認する。そして、ＣＰＵは、ＣＰＵは、印刷編集画面内の全てのテキストに対してステップＳ１１０４及びステップＳ１１０５の処理が行われていない場合は、ステップＳ１１０４に戻り、処理が行われている場合は、ステップＳ１１０７に進む。
【００７９】
ステップＳ１１０７では、ＣＰＵは、クリップアートの印刷履歴の記録を行うため、印刷編集画面内にクリップアートが存在するか否かを確認する。そして、ＣＰＵは、印刷編集画面内にクリップアートが存在する場合は、ステップＳ１１０８に進み、存在しない場合は、処理を終了する。
【００８０】
ステップＳ１１０８では、ＣＰＵは、最初のクリップアートの情報を取得し、ステップＳ１１０９に進む。具体的には、ＣＰＵは、クリップアートのファイル名外接矩形領域のサイズを取得する。また、ＣＰＵは、クリップアートがロックされているかどうかの情報も取得する。
【００８１】
ステップＳ１１０９では、ＣＰＵは、ステップＳ１１０２で作成した印刷履歴記憶装置２０３の記録領域に、ステップＳ１１０８で取得したクリップアート情報を記録し、ステップＳ１１１０に進む。
【００８２】
ステップＳ１１１０では、ＣＰＵは、印刷編集画面内の全てのクリップアートに対してステップＳ１１０８及びステップＳ１１０９の処理が行われたかどうかを確認する。そして、ＣＰＵは、印刷編集画面内の全てのクリップアートに対してステップＳ１１０８及びステップＳ１１０９の処理が行われていない場合は、ステップＳ１１０８に戻り、行われている場合は、処理を終了する。
【００８３】
図１２は、図５の印刷開始画面で焼き増し印刷ボタン１０２を選択して実行ボタン１０４をクリックした場合に、図４のステップＳ５０４で表示部に表示される焼き増し設定画面の一例を示す図である。
【００８４】
図１２に示すように、焼き増し設定画面には、印刷プレビュー領域１２０１、焼き増し枚数設定領域１２０２、印刷実行ボタン１２０３、及びキャンセルボタン１２０４が表示される。
【００８５】
印刷プレビュー領域１２０１には、図５の印刷開始画面でユーザが選択した印刷画像が表示される。焼き増し枚数設定領域１２０２で必要な枚数を設定した後、印刷実行ボタン１２０３をクリックすると、印刷プレビュー領域１２０１で表示した印刷画像及び焼き増し枚数設定領域１２０２で設定した枚数の情報がプリンタ２０２に出力される。
【００８６】
なお、本実施形態では、焼き増し設定画面上でプリンタ２０２による印刷を実行した場合は、印刷履歴記憶装置２０３に対して印刷履歴情報の記録は行わない。また、キャンセルボタン１２０４をクリックした場合は、焼き増し設定画面は終了し、図５の印刷開始画面に戻る。
【００８７】
以上説明したように、本実施形態では、印刷開始画面の印刷履歴表示領域１０６で印刷対象の画像を選択した後、新規印刷ボタン１０１、焼き増し印刷ボタン１０２及び流用印刷ボタン１０３のいずれかのボタンを選択する。そして、いずれかのボタンを選択した後、実行ボタン１０４をクリックすることで、印刷開始画面が印刷の種類に応じた操作画面に切り替わる。
【００８８】
これにより、印刷履歴表示領域１０６から印刷対象の画像を選択した後、印刷の種類を変更する場合に、再度印刷履歴表示領域１０６から同一の画像を選択する操作が不要になり、ユーザの操作性を高めることができる。
【００８９】
なお、本発明は、上記実施形態に例示したものに限定されるものではなく、本発明の要旨を逸脱しない範囲において適宜変更可能である。
【００９０】
上述の実施形態では、流用印刷の場合、背景画像、テキスト、クリップアートのどれでも変更可能とした。しかし、背景画像のみを変更可能としてもよいし、テキストやクリップアート等の付加画像のみを変更可能としてもよい。また、テキストとクリップアートが含まれる場合は、テキストとクリップアートのどちらを変更させるか、または変更させないかをユーザに選択させてから、変更すると選択されたものについてのみ、変更のための編集画面を表示させるようにしてもよい。また、クリップアートに種類やグループがある場合は、変更する／しないクリップアートの種類またはグループを選択させてから、変更すると選択されたものについてのみ、変更のための編集画面を表示させるようにしてもよい。付加画像が多い場合は、すべてについて編集画面を表示することはできないため、このように選択的に編集画面を表示させるとよい。
【００９１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【００９２】
２０１  印刷制御装置
２０２  プリンタ
【図１】
2012058905.tif 000003
【図２】
2012058905.tif 000004
【図３】
2012058905.tif 000005
【図４】
2012058905.tif 000006
【図５】
2012058905.tif 000007
【図６】
2012058905.tif 000008
【図７】
2012058905.tif 000009
【図８】
2012058905.tif 000010
【図９】
2012058905.tif 000011
【図１０】
2012058905.tif 000012
【図１１】
2012058905.tif 000013
【図１２】
2012058905.tif 000014